(57)【特許請求の範囲】
【請求項１】
放射線を検出するための球状の電離箱（４０）と、
内部容積部（１６）内に前記電離箱（４０）を収容する外装筐体（１２）と、
前記外装筐体（１２）に対して前記電離箱（４０）を支持する１対の支持構造（６０、７０）であって、前記電離箱（４０）が前記支持構造（６０、７０）間に延びる軸線（７１）に関して対称になるように前記電離箱（４０）の表面（５２）に互いに対向するように配置される１対の支持構造（６０、７０）と、
を含む、放射線検出アセンブリ（１０）。
【請求項２】
前記外装筐体（１２）が、第１の筐体部（２０）および第２の筐体部（３０）を含む、請求項１に記載の放射線検出アセンブリ（１０）。
【請求項３】
前記１対の支持構造（６０、７０）が、第１の支持構造（６０）および第２の支持構造（７０）を含む、請求項２に記載の放射線検出アセンブリ（１０）。
【請求項４】
前記第１の筐体部（２０）が、前記第１の支持構造（６０）に係合し、前記第１の筐体部（２０）に対する前記電離箱（４０）の運動を制限する保持構造（２２）を含む、請求項３に記載の放射線検出アセンブリ（１０）。
【請求項５】
前記第１の支持構造（６０）が、肩（６６）を含み、前記第１の支持構造（６０）が、前記保持構造（２２）の端部（２４）が前記肩（６６）に係合するように前記保持構造（２２）内に受け入れられる、請求項４に記載の放射線検出アセンブリ（１０）。
【請求項６】
前記第１の支持構造（６０）が、前記電離箱（４０）の一部を受け入れるサイズおよび形状に形成された実質的に中空の内部チャンバ（６２）を含む、請求項３から５のいずれかに記載の放射線検出アセンブリ（１０）。
【請求項７】
前記第１の支持構造（６０）が、前記電離箱（４０）に取り付けられる、請求項３から６のいずれかに記載の放射線検出アセンブリ（１０）。
【請求項８】
前記第２の筐体部（３０）が、前記第２の支持構造（７０）に係合し、前記第２の筐体部（３０）に対する前記電離箱（４０）の運動を制限する基部（３２）を含む、請求項３から７のいずれかに記載の放射線検出アセンブリ（１０）。
【請求項９】
前記第２の支持構造（７０）が、中空の中心部（７２）を有する円形状を含み、前記第２の支持構造（７０）が、前記中空の中心部（７２）内に前記電離箱（４０）の一部を受け入れるサイズに形成されている、請求項８に記載の放射線検出アセンブリ（１０）。
【請求項１０】
前記第２の支持構造（７０）が、前記電離箱（４０）と前記第２の支持構造（７０）との間の運動が制限されるようにエラストマー材料を含む、請求項９に記載の放射線検出アセンブリ（１０）。
【請求項１１】
放射線を検出するための球状の電離箱（４０）と、
内部容積部（１６）内に前記電離箱（４０）を収容する外装筐体（１２）と、
前記外装筐体（１２）から一定の距離だけ離して前記電離箱（４０）を支持する１対の支持構造（６０、７０）であって、前記支持構造（６０、７０）が、前記電離箱（４０）が前記支持構造（６０、７０）間に延びる軸線（７１）に関して対称になるように前記電離箱（４０）の表面（５２）に互いに対向するように配置される、１対の支持構造（６０、７０）と、
を含み、
前記対向する支持構造（６０、７０）間に延在する前記電離箱（４０）の前記表面（５２）が支持されていない、
放射線検出アセンブリ（１０）。
【請求項１２】
前記外装筐体（１２）が、第１の筐体部（２０）および第２の筐体部（３０）を含む、請求項１１に記載の放射線検出アセンブリ（１０）。
【請求項１３】
前記１対の支持構造（６０、７０）が、第１の支持構造（６０）および第２の支持構造（７０）を含む、請求項１２に記載の放射線検出アセンブリ（１０）。
【請求項１４】
前記第１の支持構造（６０）および前記第２の支持構造（７０）がそれぞれ、エラストマー材料を含む、請求項１３に記載の放射線検出アセンブリ（１０）。
【請求項１５】
前記第１の支持構造（６０）および前記第２の支持構造（７０）がそれぞれ、前記電離箱（４０）と前記支持構造（６０、７０）との間の運動が制限されるように前記電離箱（４０）に接触する、請求項１４に記載の放射線検出アセンブリ（１０）。
【請求項１６】
前記第１の支持構造（６０）および前記第２の支持構造（７０）が、前記電離箱（４０）に押圧力を加える、請求項１５に記載の放射線検出アセンブリ（１０）。
【請求項１７】
放射線検出アセンブリ（１０）を支持する方法であって、
内部容積部（１６）を有する外装筐体（１２）を用意するステップと、
前記内部容積部（１６）内に球状の電離箱（４０）を配置するステップと、
前記電離箱（４０）の表面（５２）に互いに対向するように配置される１対の支持構造（６０、７０）を用いて前記外装筐体（１２）に対して前記電離箱（４０）を支持するステップと、
を含む方法。
【請求項１８】
前記支持構造（６０、７０）を用いて前記電離箱（４０）の正反対の面を押圧するステップをさらに含む、請求項１７に記載の方法。
【請求項１９】
前記外装筐体（１２）に対する前記電離箱（４０）の運動を防止するステップをさらに含む、請求項１８に記載の方法。
【請求項２０】
前記支持構造（６０、７０）が、エラストマー材料を含む、請求項１９に記載の方法。
【発明の詳細な説明】
【技術分野】
【０００１】
本発明は、一般に放射線検出アセンブリに関し、具体的には、少なくとも１つの支持構造によって支持される放射線検出アセンブリに関する。
【背景技術】
【０００２】
環境放射線モニタが知られており、地域の放射線の量を検出するために使用されている。放射線モニタは、放射線レベルを監視するために放射線源（原子力発電所など）に隣接した屋外に設置される場合がある。
【０００３】
ある種類の放射線モニタでは、電離箱が利用されている。電離箱は、筐体内に収容されている。かつては、電離箱は、発泡材料によって囲まれていた。比較的稠密な発泡材料は、ガンマ放射線を遮断することによって電離箱の感度を低下させていた。さらに、電離箱は、対向して配置された電子機器または他のガンマ線遮断材料を含み、電離箱は、垂直線に対して斜めに配置されていた。この斜めの向きは、ガンマ放射線をさらに遮断し、電離箱の感度を低下させる傾向があった。したがって、ガンマ放射線感度を高めるために、発泡材料を用いずに電離箱を支持し、電離箱の向きを改善することが必要であり、有益である。
【先行技術文献】
【特許文献】
【０００４】
【特許文献１】米国特許出願公開第２００８１５９４７６号明細書
【発明の概要】
【０００５】
以下では、本発明のいくつかの例示的な態様の基本的な理解を提供するために本発明の簡単な概要が提示される。この概要は、本発明の広範囲にわたる概説ではない。さらに、この概要は、本発明の決定的な要素を特定するためのものでもないし、本発明の範囲を示すためのものでもない。この概要の唯一の目的は、後に提示されるより詳細な説明の前置きとして簡単な形で本発明のいくつかの概念を提示することである。
【０００６】
一態様によれば、本発明は、放射線を検出するための電離箱を含む放射線検出アセンブリを提供する。外装筐体は、内部容積部内に電離箱を収容する。１対の支持構造は、外装筐体に対して電離箱を支持する。支持構造は、電離箱が支持構造間に延びる軸線に関して対称になるように電離箱の表面に互いに対向するように配置される。
【０００７】
別の態様によれば、本発明は、放射線を検出するための電離箱を含む放射線検出アセンブリを提供する。外装筐体は、内部容積部内に電離箱を収容する。１対の支持構造は、外装筐体から一定の距離だけ離して電離箱を支持する。支持構造は、電離箱が支持構造間に延びる軸線に関して対称になるように電離箱の表面に互いに対向するように配置される。電離箱は、対向する支持構造間に延在する表面に沿って接触されない。
【０００８】
別の態様によれば、本発明は、放射線検出アセンブリを支持する方法を提供する。本方法は、内部容積部を有する外装筐体を用意するステップを含む。本方法は、内部容積部内に電離箱を配置することをさらに含む。また、本方法は、電離箱の表面に互いに対向するように配置される１対の支持構造を用いて外装筐体に対して電離箱を支持することを含む。
【０００９】
本発明の前述のおよび他の態様は、添付図面を参照しながら以下の説明を読むことによって、本発明が関わる技術分野の当業者に明らかとなる。
【図面の簡単な説明】
【００１０】
【図１】本発明の態様に係る１つ以上の支持構造によって支持された例示的な電離箱を含む例示的な放射線検出アセンブリの部分的に切り取られて開かれた図（ｐａｒｔｉａｌｌｙ  ｔｏｒｎ  ｏｐｅｎ  ｖｉｅｗ）である。
【図２】図１の放射線検出アセンブリの部分分解図である。
【図３】図１の放射線検出アセンブリを支持する方法を描いたフローチャートである。
【発明を実施するための形態】
【００１１】
本発明の１つ以上の態様を組み込んだ例示的な実施形態が、図面において説明され、示される。これらの図示の例は、本発明の限定であることを意図されていない。例えば、本発明の１つ以上の態様は、他の実施形態において、また他の種類の装置においてさえ利用され得る。さらに、特定の用語は、本明細書において便宜のためにのみ使用され、本発明の限定として理解されるべきではない。またさらに、図面において、同じ参照符号は、同じ要素を示すために用いられている。
【００１２】
図１は、本発明の一態様に係る、部分的に切り取られて開かれた放射線検出アセンブリ１０の例示的な実施形態を描いている。図１は可能な構造／構成の一例を示しているに過ぎないことおよび他の例が本発明の範囲内で考えられることが理解されるべきである。一般に、放射線検出アセンブリ１０は、地域の大気中の低レベルのガンマ放射線を監視する機能を実行するために屋外の場所に配置される。ガンマ放射線は、既知の線源に由来する場合もあれば、未知の線源に由来する場合もある。
【００１３】
放射線検出アセンブリ１０は、外装筐体１２を含む。外装筐体１２は、内部容積部１６を画する外壁１４を含む。この例において、外装筐体１２は、概ね楕円体／卵形体の形状を有するが、他の形状も考えられる。例えば、他の例では、外装筐体１２は、様々なサイズの直方体形状または他の多面三次元形状を含む。外装筐体１２は、図１において、例示目的のために、また内部容積部１６をより明瞭に示すために部分的に切り取られて開かれたものとして描かれていることが理解されるべきである。しかしながら、動作時、外装筐体１２は完全に閉じられており、内部容積部１６が通常は見えないようになっている。外壁１４は、環境影響（例えば、湿気、ごみなど）から内部容積部１６を保護する硬質の概ね非可撓性の材料から形成されている。外装筐体１２は、任意の数の異なる材料（高分子材料（例えば、プラスチックなど）、金属、または材料の組み合わせなどを含む）を含む。
【００１４】
外装筐体１２は、第１の筐体部２０を含む。第１の筐体部２０は、外装筐体１２の一部を形成している。第１の筐体部２０は、図示の例において外装筐体１２の上方部または上部を形成している。第１の筐体部２０は、一方の端部（例えば、上端）において閉じており、反対側の第２の端部（例えば、底端）において概ね開いている。可能な一例において、第１の筐体部２０は、外装筐体１２の長さの半分よりも大きい部分を形成する。しかしながら、他の例では、第１の筐体部２０の長さは、図示のものと比べて長くても短くてもよい。
【００１５】
第１の筐体部２０は、第１の筐体部２０内に配置された保持構造２２を含む。保持構造２２は、外壁１４から内部容積部１６に向かって延在する。保持構造２２は、図示の例では、外壁１４と一体的に形成／成形されている。言うまでもなく、さらなる例において、保持構造２２は、このように限定されず、その代わりに、外壁１４に対して別個に取り付けられてもよい。一例において、保持構造２２は、外壁１４から保持構造２２の端部２４にかけて延在する。保持構造２２は、概ね環状の断面形状を含んでもよい。しかしながら、他の例では、保持構造２２の断面は、円形に限定されず、その代わりに、正方形、矩形、長円形などであってもよい。同様に、保持構造２２は、図示の距離に比べて長い距離または短い距離にわたって内部容積部１６に向かって延在してもよい。保持構造２２は、概ね中空であり、キャビティー２６を形成している。
【００１６】
外装筐体１２は、第２の筐体部３０を含む。第２の筐体部３０は、外装筐体１２の一部を形成している。第２の筐体部３０は、図示の例において外装筐体１２の下方部または底部を形成している。第２の筐体部３０は、一方の端部（例えば、底端）において閉じており、反対側の第２の端部（例えば、上端）において概ね開いている。可能な一例において、第１の筐体部２０は、外装筐体１２の長さの半分よりも大きい部分を形成する。しかしながら、他の例では、第１の筐体部２０の長さは、図示のものと比べて長くても短くてもよい。
【００１７】
第２の筐体部３０は、図示のように第１の筐体部２０に取り付けられ得る。例えば、第１の筐体部２０および第２の筐体部３０のそれぞれの開放端部が合わせられ、互いに取り付けられてもよい。一例において、第１の筐体部２０および第２の筐体部３０はそれぞれ、互いの螺着のためにねじ構造（例えば、対応する雄ねじおよび雌ねじ）を含んでもよい。他の例では、その代わりに、機械的締結具、スナップフィット手段などが、第１の筐体部２０を第２の筐体部３０に取り付けるために使用されてもよい。
【００１８】
第２の筐体部３０は、第２の筐体部３０内に配置された基部３２を含む。基部３２は、外壁１４から内部容積部１６に向かって延在する。基部３２は、図示の例では、外壁１４と一体的に形成／成形されている。言うまでもなく、他の例において、基部３２は、このように限定されず、その代わりに、外壁１４に対して別個に取り付けられてもよい。一例において、基部３２は、外壁１４から基部３２の端部３４にかけて延在する。基部３２は、概ね環状の断面形状を含んでもよい。しかしながら、他の例では、基部３２の断面は、円形に限定されず、その代わりに、正方形、矩形、長円形などであってもよい。同様に、基部３２は、図示の距離に比べて長い距離または短い距離にわたって内部容積部１６に向かって延在してもよい。
【００１９】
放射線検出アセンブリ１０は、放射線を検出するための電離箱４０をさらに含む。電離箱４０は、外装筐体１２の内部容積部１６内に含まれている／収容されている。電離箱４０は、電離箱４０の個々の構成要素のための空間を形成する容積部４２を画している。図１の電離箱４０は、容積部４２をより明瞭に示すために切断されていることが理解されるべきである。しかしながら、動作時、電離箱４０は完全に閉じられ、容積部４２が見えないようになる。電離箱４０は多数の可能な構成を含むことが理解されるべきである。一例において、電離箱４０は、高圧電離箱（ＨＰＩＣ：ｈｉｇｈ  ｐｒｅｓｓｕｒｅ  ｉｏｎｉｚａｔｉｏｎ  ｃｈａｍｂｅｒ）を含んでもよい。電離箱４０は、概ね球の形状を有するが、他の形状も考えられる。
【００２０】
電離箱４０は、カソード４４およびアノード４６を含む１対の電極を含む。カソード４４は、容積部４２を画している。一例において、カソード４４はシールされ、カソード４４に、加圧ガス（窒素ガス、アルゴン、他のガスの混合物など）が充填される。このように、容積部４２内のこの加圧ガスの、電離箱４０からの意図せぬ漏出が比較的制限される。カソード４４は、様々な材料（金属（ステンレス鋼、アルミニウムなどを含む）など）から構成されてもよい。
【００２１】
電離箱４０は、カソード４４の容積部４２内に延在するアノード４６をさらに含む。アノード４６は、支持部材または電線などを含んでもよい。したがって、アノード４６は、図示の例のサイズまたは形状に限定されない。この例では、アノード４６は、アノード４６がカソード４４から半径方向内側に離間されるようにカソード４４に比べて小さい断面サイズを有する。
【００２２】
一般に、カソード４４およびアノード４６は、それぞれ一定の電圧に維持される。ガンマ線の相互作用に起因するイオンおよび電子が、容積部４２内に形成される。これらのイオンおよび電子は、カソード４４およびアノード４６に引き付けられ、それらは、そこに集まって電流を生成する。増幅器４８（および／または他の関連する電子機器（電位計、電線などを含む））は、カソード４４およびアノード４６に電気的に接続されている。増幅器４８は、放射線に関係するいくらかの測定可能な量（ガンマ線の線量率など）を測定するために上記の電流を受けて解析する。増幅器４８は、増幅器ハウジングなどの中に収容されてもよい。
【００２３】
電離箱４０は、リリーフアセンブリ５０をさらに含む。リリーフアセンブリ５０は、電離箱４０の表面５２に取り付けられている。リリーフアセンブリ５０は、カソード４４内の加圧ガスを、電離箱４０の外に安全に逃がすことを可能にする。リリーフアセンブリ５０は、任意の数の方法（溶接、機械的締結具など）で表面５２に取り付けられてもよい。
【００２４】
放射線検出アセンブリ１０は、外装筐体１２に対して電離箱４０を支持するための１つ以上の支持構造をさらに含む。具体的には、１つ以上の支持構造は、第１の支持構造６０を含む。第１の支持構造６０は、外装筐体１２の第１の筐体部２０から一定の距離だけ離して電離箱４０を支持してもよい。
【００２５】
第１の支持構造６０は、電離箱４０から第１の筐体部２０に向かって延在する細長い実質的に中空の構造である。第１の支持構造６０は、多数の異なる材料（エラストマー材料（例えば、ゴムなど）など）を含んでもよい。一例において、第１の支持構造６０は、力または圧力に応答して少なくとも部分的に弾性的に変形することができる。したがって、第１の支持構造６０は、外装筐体１２を通って電離箱４０に伝わる振動、衝撃、または他の意図せぬ運動を低減することができる。
【００２６】
第１の支持構造６０は、実質的に中空の内部チャンバ６２を含む。内部チャンバ６２は、少なくとも部分的に第１の支持構造６０の長さに沿って長手方向に延在する。内部チャンバ６２は、その中に電離箱４０の一部を受け入れるサイズおよび形状に形成されている。図示の例では、内部チャンバ６２は、リリーフアセンブリ５０を受け入れている。内部チャンバ６２の断面のサイズおよび形状は、リリーフアセンブリ５０を受け入れるためにわずかに大きいことを別にすれば、リリーフアセンブリ５０の断面のサイズおよび形状に実質的に適合する。他の例では、内部チャンバ６２は、任意の数の断面形状（四角形状（例えば、正方形、矩形など）、円形状、または長円形状など）を含む。
【００２７】
支持壁６４は、第１の支持構造６０の一方の端部に配置されている。図示の例では、支持壁６４は、第１の支持構造６０が電離箱４０と係合する位置の反対側に配置されている。支持壁６４は、内部チャンバ６２にまたがって延在し、内部チャンバ６２の長手方向端部を形成している。支持壁６４は、図１に示されているものに比べて、第１の支持構造６０に対するリリーフアセンブリ５０の軸方向運動をより一層制限するためにリリーフアセンブリ５０に当接／係合してもよい。
【００２８】
第１の支持構造６０は、肩６６をさらに含む。肩６６は、第１の支持構造６０の外周／外面の周囲に周方向に延在する。一例において、肩６６は、第１の支持構造６０の隣接する部分に比べて大きい断面サイズ（例えば、直径、幅など）を有する。図示の例において、肩６６は、保持構造２２の端部２４に係合してもよい。具体的には、肩６６は、肩６６と保持構造２２との係合によりシールが形成されるように保持構造２２の形状に実質的に適合する。肩６６と保持構造２２とのこの係合により、第１の筐体部２０に対する第１の支持構造６０の運動が制限および／または防止される。
【００２９】
第１の支持構造６０のサイズは、図１において保持構造２２に比べてわずかに小さく示されていることが理解されるべきである。実際、第１の支持構造６０の外側の側面と保持構造２２の内面との間に隙間、空間などが示されている。しかしながら、動作時、この隙間、空間などは、図示のものに比べて小さくてもよいし、あるいは存在しなくてもよい。実際、第１の支持構造６０は、第１の支持構造６０および保持構造２２の運動（例えば、回転、軸方向運動、横方向運動）を制限するように保持構造２２に接触および係合してもよい。このように、第１の支持構造６０と電離箱４０との係合に起因して、電離箱４０の運動（例えば、回転、軸方向運動、横方向運動）が同様に制限される。
【００３０】
放射線検出アセンブリ１０の１つ以上の支持構造は、第２の支持構造７０をさらに含む。第２の支持構造７０は、外装筐体１２の第２の筐体部３０から一定の距離だけ離して電離箱４０を支持する。一例において、第２の支持構造７０は、電離箱４０の、第１の支持構造６０の反対側に配置されている。実際、第１の支持構造６０に対する第２の支持構造７０の各位置を示すために、第２の支持構造７０と第１の支持構造６０との間に延びる軸線７１が示されている。図示のように、第１の支持構造６０および第２の支持構造７０は、これらの間に延びる軸線７１に関して概ね対蹠的に互いに対向している（例えば、対蹠点を形成している）。
【００３１】
第２の支持構造７０は、電離箱４０に係合する概ね円の形状を有する。第２の支持構造７０は、本明細書で説明されている円形状に限定されず、他の例では、他の丸い形状、楕円形状、または正方形形状などを有してもよいことが理解されるべきである。第２の支持構造７０は、エラストマー材料（例えば、ゴムなど）を含んでもよい。第２の支持構造７０は、電離箱４０の一部を受け入れるために第２の支持構造７０を貫通する概ね中空の中心部７２を有する。したがって、第２の支持構造７０は、外装筐体１２を通って電離箱４０に伝わる振動、衝撃、または他の意図せぬ運動を低減することができる。
【００３２】
第２の支持構造７０は、電離箱４０に係合する第１の面７３を含む。図示の例において、第１の面７３は、概ね丸くなっており、カソード４４の表面５２に接触／係合する。第２の支持構造７０が、エラストマー材料から形成されていることに起因して、第２の支持構造７０は、第２の支持構造７０に対する電離箱４０の運動を制限することができる。第２の支持構造７０は、図示の例の断面サイズ（例えば、直径）に限定されず、他の例では、図示のものに比べて大きいまたは小さい断面サイズを有してもよい。
【００３３】
第２の支持構造７０は、第１の面７３の反対側に配置された第２の面７４をさらに含む。第２の面７４は、第２の筐体部３０の基部３２に係合してもよい。具体的には、第２の面７４は、基部３２に対する第２の支持構造７０の運動を制限するように基部３２に係合および接触する係合構造（例えば、溝部７６）を含む。溝部７６は、少なくとも部分的に第２の支持構造７０内に延在する実質的に中空の溝、開口、窪みを形成している。図示の例において、溝部７６は、第２の面７４から第１の面７３に向かって部分的に延在していて、溝部７６が、第２の支持構造７０を完全に貫通しないようになっている。他の例において、溝部７６は、図示のものに比べて長いまたは短い距離だけ第２の支持構造７０内に延在してもよく、および／または、溝部７６は、幅広くても、幅狭くてもよい。
【００３４】
溝部７６は、基部３２を受け入れる。具体的には、基部３２の端部３４が、溝部７６内に延在するように配置される。溝部７６の寸法（例えば、幅）は、溝部７６が基部３２を受け入れるように基部３２の寸法に比べてわずかに大きくてもよい。溝部７６と基部３２との係合により、第２の筐体部３０の基部３２に対する第２の支持構造７０の運動が制限される。
【００３５】
次に図２を参照して、ここで、放射線検出アセンブリ１０内で支持を行う操作について説明する。図２は、例示目的で部分的に分解した状態で放射線検出アセンブリ１０を描いていることが理解されるべきである。実際、図２では、放射線検出アセンブリ１０の諸部分の相対取付位置を明瞭に見ることができる。しかしながら、動作時、放射線検出アセンブリ１０は、図１に示されているのと同様の完全に組み立てられた状態にある。
【００３６】
第１の筐体部２０は、最初、第２の筐体部３０から取り外された状態にあり得る。第１の筐体部２０の保持構造２２は、第１の支持構造６０を受け入れるサイズおよび形状に形成されている。具体的には、保持構造２２のキャビティー２６が、その中に第１の支持構造６０を受け入れる。第１の支持構造６０の断面のサイズおよび形状は、第１の支持構造６０と保持構造２２との間の運動が制限／低減されるようにキャビティー２６に概ね適合されてもよい。この運動は、例えば、軸方向運動、横方向（例えば、左右の）運動、および回転運動を含む。保持構造２２の端部２４は、第１の支持構造６０の肩６６に当接し、これにより、第１の筐体部２０への第１の支持構造６０のさらなる軸方向運動が制限される。
【００３７】
第１の筐体部２０から反対方向に移動させることによって、第１の支持構造６０は、電離箱４０のリリーフアセンブリ５０を受け入れてもよい。リリーフアセンブリ５０は、第１の支持構造６０の内部チャンバ６２に嵌め込まれるサイズおよび形状に形成されている。内部チャンバ６２の断面のサイズおよび形状は、第１の支持構造６０と電離箱４０のリリーフアセンブリ５０との間の運動が制限されるようにリリーフアセンブリ５０に概ね適合されてもよい。この運動は、例えば、軸方向運動、横方向（例えば、左右の）運動、および回転運動を含む。
【００３８】
第１の支持構造６０から反対方向に移動させることによって、電離箱４０の増幅器４８は、第２の支持構造７０の中空の中心部７２に通されて配置されてもよい。増幅器４８は、基部３２内に配置／収容される。
【００３９】
増幅器４８が、基部３２内に配置されると、第２の支持構造７０は、基部３２と電離箱４０との間に挟まれる。具体的には、第２の支持構造７０の第１の面７３が、電離箱４０に接触する一方で、第２の面７４が、基部３２に接触する。第２の支持構造７０の溝部７６は、比較的きつい締まり嵌めで第２の筐体部３０の端部３４を受け入れるサイズおよび形状に形成されている。したがって、第２の支持構造７０が、エラストマー材料または他の同様の可撓性材料を含むことに起因して、第２の支持構造７０は、第２の筐体部３０の基部３２に対する電離箱４０の運動を制限する。この運動は、例えば、軸方向運動、横方向（例えば、左右の）運動、および回転運動を含む。
【００４０】
前述の構造が互いに接触し続けることを確実にするために、第１の筐体部２０および第２の筐体部３０が互いに取り付けられてもよい。この取り付けは、電離箱４０、第１の支持構造６０、および第２の支持構造７０に作用する押圧力をもたらす。この押圧力は、運動を制限しながら、第１の支持構造６０および第２の支持構造７０と共に電離箱４０に加わる力を維持するのに十分である。第１の筐体部２０および第２の筐体部３０は、任意の数の方法（螺着、機械的締結具（例えば、ナット、ボルト、ねじなど）、スナップフィット、またはロッキング手段など）で互いに取り付けられてもよい。
【００４１】
動作時、第１の支持構造６０および第２の支持構造７０は、電離箱４０の概ね正反対の面に配置される。具体的には、電離箱４０は、第１の支持構造６０と第２の支持構造７０との間に延びる軸線７１に関して概ね対称である。この対称配置は、電離箱４０の側面の妨害／遮断を制限する。例えば、第１の支持構造６０と第２の支持構造７０との間に延在する、電離箱４０の表面５２は、概ね接触されておらず、支持されていない。実際、図１および図２に見ることができるように、内部容積部１６は、実質的に中空であり、いかなる材料も、電離箱４０の表面５２に接触しておらず、および／またはこれを遮断していない。したがって、電離箱４０の面に沿った、ガンマ放射線の遮断が低減されている。
【００４２】
加えて、第１の支持構造６０および第２の支持構造７０はそれぞれ、ガンマ放射線のある程度の遮断を示し得る構造の近傍に概ね位置合わせされる／配置される。例えば、第１の支持構造６０は、リリーフアセンブリ５０に隣接して配置され、リリーフアセンブリ５０に接触する。一部の例において、リリーフアセンブリ５０は、金属製であり、少なくともいくらかのガンマ放射線を遮断し得る。リリーフアセンブリ５０の近くに第１の支持構造６０を配置することによって、放射線遮断の可能性がある１つの場所が最小化される（すなわち、リリーフアセンブリ５０／第１の支持構造６０の場所において）。同様に、第２の支持構造７０は、増幅器４８の近傍に配置される。一部の例において、増幅器４８は、金属製であり、少なくともいくらかのガンマ放射線を遮断し得る。増幅器４８の近くに第２の支持構造７０を配置することによって、放射線遮断の可能性がある別の場所が最小化される（すなわち、増幅器４８／第２の支持構造７０の場所において）。したがって、電離箱４０の周囲の感度（例えば、表面５２に沿った）が改善される。
【００４３】
対称的に支持される（例えば、支持構造は、軸線７１に関して対称である）ことによって、電離箱４０は、表面５２に沿った周囲の感度のさらなる改善を実現する。具体的には、過去の電離箱は、垂直線に対して斜めに配置され、これにより、電離箱の面に沿ってガンマ放射線が遮断されていた。現在の例では、電離箱４０の面は、電離箱４０の概ね垂直な向きに起因して遮断を免れている。したがって、最大量の表面５２が遮断されなくなっている。
【００４４】
次に図３を参照すると、放射線検出アセンブリ１０を支持する例示的な方法２００が示されている。方法２００は、図１および図２に示されている外装筐体１２、電離箱４０などを含む放射線検出アセンブリ１０に関連して実行されてもよい。
【００４５】
方法２００は、内部容積部１６を有する外装筐体１２を用意するステップ２１０を含む。具体的には、図１および図２に示されているように、外装筐体１２は、内部容積部１６を画する外壁１４を含む。内部容積部１６は概ね中空である。
【００４６】
方法２００は、内部容積部１６内に電離箱４０を配置するステップ２２０を含む。具体的には、図２に示されているように、電離箱４０は、第１の筐体部２０および第２の筐体部３０が、押圧され、取付具で連結されるときに内部容積部１６内に受け入れられる。
【００４７】
方法２００は、電離箱４０の表面５２に互いに対向するように配置される１対の支持構造を用いて外装筐体１２に対して電離箱４０を支持するステップ２３０をさらに含む。具体的には、図１および図２に示されているように、第１の筐体部２０および第２の筐体部３０は、電離箱４０の概ね正反対の面に配置される。第１の筐体部２０および第２の筐体部３０は、押圧されて電離箱４０に接触する。この押圧力は、第１の筐体部２０および第２の筐体部３０が外装筐体１２に対する電離箱４０の運動（例えば、回転運動、軸方向運動、横方向運動）を制限するのに十分である。
【００４８】
本発明について、上で説明した例示的な実施形態を参照しながら説明してきた。修正例および変更例は、本明細書の読解および理解に基づいて他者に想到される。本発明の１つ以上の態様を組み込んだ例示的な実施形態は、すべてのこのような修正例および変更例が添付の特許請求の範囲に含まれる限り、これらを含むことを意図されている。
【符号の説明】
【００４９】
１０  放射線検出アセンブリ
１２  外装筐体
１４  外壁
１６  内部容積部
２０  第１の筐体部
２２  保持構造
２４  保持構造の端部
２６  キャビティー
３０  第２の筐体部
３２  基部
３４  端部
４０  電離箱
４２  容積部
４４  カソード
４６  アノード
４８  増幅器
５０  リリーフアセンブリ
５２  表面
６０  第１の支持構造
６２  内部チャンバ
６４  支持壁
６６  肩
７０  第２の支持構造
７１  軸線
７２  中空の中心部
７３  第１の面
７４  第２の面
７６  溝部
２１０  ステップ
２２０  ステップ
２３０  ステップ
【図１】
0006442417.tif 000002
【図２】
0006442417.tif 000003
【図３】
0006442417.tif 000004